(57)【特許請求の範囲】
【請求項１】
パイプ状に丸めたベルト本体を挿通させる貫通孔を備え、該貫通孔の周囲に複数本の保形ローラを配設した支持板を、支持板取付けフレームを介してパイプコンベヤの搬送経路に沿って所定の間隔で配設して成るパイプコンベヤ用支持板の取付け構造において、
前記支持板を支持する支持板取付けフレームを、前記支持板の少なくとも中央周縁部から下方を支持する断面凹状の枠状フレームにより構成し、該枠状フレームの凹部内に、支持板の周縁部の前後面及び下面を弾性的に支持する弾性支持部材を内装して成るパイプコンベヤ用支持板の取付け構造。
【請求項２】
前記支持板を円板状に形成すると共に、支持板取付けフレームを、支持板の少なくとも中央下方を支持する半円弧状の枠状フレームに形成した請求項１に記載のパイプコンベヤ用支持板の取付け構造。
【請求項３】
前記弾性支持部材は、スプリングまたはゴム状弾性体と、支持板の周縁部及び下面を支持する支持プレートとを組み合わせて構成した請求項１または２に記載のパイプコンベヤ用支持板の取付け構造。
【発明の詳細な説明】
【０００１】
【発明の属する技術分野】
この発明は、パイプコンベヤ用支持板の取付け構造にかかわり、更に詳しくは支持板の取付け位置をパイプコンベヤに追従して任意に調整することが出来るパイプコンベヤ用支持板の取付け構造に関するものである。
【０００２】
【従来の技術】
従来、輸送中に舞い上がったり溢れ易い粉体，粒状体等の輸送物をパイプ状に丸めたベルト本体に包み込んで輸送するパイプコンベヤ装置が知られており、このパイプコンベヤ装置は、例えば、数百ｍまたは数キロに及ぶ輸送経路に所定間隔で配設された支持板に支持された状態で輸送されるように構成されている。  前記輸送経路に配設される複数の支持板は、パイプ状に丸めたコンベヤ本体を挿通させる貫通孔を備え、該貫通孔の周囲には複数本の保形ローラを配設し、支持フレームに対して固定された状態となっている。
【０００３】
【発明が解決しようとする課題】
このため、輸送中のパイプコンベヤの上下位置調整や捩じれ等の修正や、支持板の補修，メンテナンス等が必要となった場合に、支持フレームに対してボルト等で固定されている支持板を一々取外す作業が必要となり、多くの手間と時間がかかり、作業能率が極めて悪いと言う問題があった。
【０００４】
この発明の目的は、ベルト本体に対する支持板の取付け位置の修正や支持板の補修及びメンテナンスを容易に行うことが出来るようにしたパイプコンベヤ用支持板の取付け構造を提供することにある。
【０００５】
【課題を解決するための手段】
この発明は、上記目的を達成するため、支持板を支持する支持板取付けフレームを、前記支持板の少なくとも中央周縁部から下方を支持する断面凹状の枠状フレームにより構成し、該枠状フレームの凹部内に、支持板の周縁部の前後面及び下面を弾性的に支持する弾性支持部材を内装したことを要旨とするものである。
【０００６】
この発明は、上記のように構成され、支持板を支持する支持板取付けフレームを、前記支持板の少なくとも中央周縁部から下方を支持する断面凹状の枠状フレームにより構成し、該枠状フレームの凹部内に、支持板の周縁部の前後面及び下面を弾性的に支持する弾性支持部材を内装したことにより、べルト本体に対する支持板の上下位置調整を容易に行うことが出来、またべルト本体の変形や変位に対して追従することが出来るものである。
【０００７】
【発明の実施の形態】
以下、添付図面に基づきこの発明の実施の形態を説明する。
図１はこの発明の第１実施形態におけるパイプコンベヤ装置の支持板の取付け状態を示す斜視図、図２は図１のＡーＡ矢視拡大断面図、図３は図１のＢーＢ矢視拡大断面図を示し、１はパイプ状に丸めたベルト本体２を挿通させる貫通孔３を中心部に備え、該貫通孔３の周囲に複数本の保形ローラ４を配設した方形状の支持板、５は支持板１を支持する支持板取付けフレームを示している。
【０００８】
前記支持板取付けフレーム５は、前記支持板１の少なくとも中央周縁部から下方を支持する断面凹状の枠状フレーム６により構成し、該枠状フレーム６の凹部７内には、支持板１の周縁部の前後面を弾性的に支持する弾性支持部材８が内装してある。
この弾性支持部材８は、凹部７の底面及び側面に取付けた所定長さのスプリングまたはゴム状弾性体９と、支持板１の周縁部を支持する支持プレート１０とを組み合わせて構成し、支持板１の上下，左右及び前後方向を弾性的に支持すると共にベルト本体２の変形や変位に対して追従できるように構成してある。
【０００９】
また、図４及び図５は、この発明の第２実施形態を示し、この実施形態は、支持板１ａを円板状に形成すると共に、支持板取付けフレーム５ａは、この支持板１ａの中央下方を支持し得るように半円弧状の枠状フレーム６ａに形成してあり、枠状フレーム６ａの凹部７ａ内には、支持板１ａの周縁部の前後面を弾性的に支持する上記第１実施形態と同様なスプリングまたはゴム状弾性体９ａと支持プレート１０ａとを組み合わせて構成した弾性支持部材８ａが内装してある。
【００１０】
この第２実施形態の場合には、上記第１実施形態の支持板１の上下，左右及び前後方向を弾性的に支持すると共にコンベヤ本体２の変形や変位に対して追従できるのに加えてベルト本体２ａの旋回に対しても容易に追従できるようにしたものである。
即ち、輸送中にベルト本体２ａが左右に捩じれ現象を起こしてもそれに追従して支持板１ａが容易に旋回出来るものである。
【００１１】
なお、その他の構成及び作用は上記第１実施形態と同様なので同一符号を付して説明は省略する。
以上のように、この発明の各実施形態では、枠状フレーム６，６ａの凹部７，７ａ内に、支持板１，１ａの周縁部の前後面を弾性的に支持する弾性支持部材８，８ａを内装したことにより、ベルト本体２，２ａに対する支持板の上下位置調整を容易に行うことが出来、またベルト本体２，２ａの変形や変位に対して追従することが出来るものである。
【００１２】
【発明の効果】
この発明は、上記のように支持板を支持する支持板取付けフレームを、前記支持板の少なくとも中央周縁部から下方を支持する断面凹状の枠状フレームにより構成し、該枠状フレームの凹部内に、支持板の周縁部の前後面及び下面を弾性的に支持する弾性支持部材を内装したので、コンベヤ本体に対する支持板の取付け位置の修正や支持板の補修及びメンテナンスを容易に行うことが出来、更にべルト本体に対する取付け角度も任意に調整できる効果がある。
【図面の簡単な説明】
【図１】この発明の第１実施形態におけるパイプコンベヤ装置の支持板の取付け状態を示す斜視図である。
【図２】図１のＡーＡ矢視拡大断面図である。
【図３】図１のＢーＢ矢視拡大断面図である。
【図４】この発明の第２実施形態におけるパイプコンベヤ装置の支持板の正面図である。
【図５】図４のＣーＣ矢視拡大断面図である。
【符号の説明】
１  支持板                      ２  コンベヤ本体
３  貫通孔                      ４  保形ローラ
５  支持板取付けフレーム        ６  枠状フレーム
７  凹部                        ８  弾性支持部材
９  ゴム状弾性体              １０  支持プレート
【図１】
0003814408.tif 000002
【図２】
0003814408.tif 000003
【図３】
0003814408.tif 000004
【図４】
0003814408.tif 000005
【図５】
0003814408.tif 000006